(57)【要約】【課題】  主として鮎釣り用の逆針で、容易かつ安価にハリス止めとの着脱を行うことができる逆針と、該逆針を有する仕掛け具を提供する。【解決手段】  仕掛け具Ａは、逆針１０と、筒状部２０と、ハリス止め部３０とを有し、この仕掛け具Ａにおける逆針１０の基端には、本体部１２の形成方向に対して直角に形成された突状部１８が設けられ、逆針１０とハリス止め部３０とを筒状部２０に挿通して該突状部１８をハリス止め部３０の開口形成部３４に掛止させることにより仕掛け具Ａとして一体化される。【選択図】        図４
2005137321.tif 000002
【特許請求の範囲】
【請求項１】
魚釣り用の逆針であって、
先端が尖った形状を有する本体部と、
該本体部の基端部から連設された突状部で、本体部の基端部の側方に突出した突状部と、
を有することを特徴とする逆針。
【請求項２】
上記本体部が、上記突状部から連設された、直線状の棒状又は直線状の板状を呈する棒状部と、該棒状部から連設された先端部で、その先端が尖った形状を呈する先端部と、を有し、上記突状部は、棒状部の軸線方向に対して略直角の方向に突出して形成されていることを特徴とする請求項１に記載の逆針。
【請求項３】
魚釣り用の逆針であって、
先端が尖った形状を有する本体部と、
該本体部の基端部から連設された突状部で、該本体部の形成方向に対して略直角の方向に突出して設けられた突状部と、
を有することを特徴とする逆針。
【請求項４】
上記本体部の形成方向が、所定の平面に沿った方向となっていることを特徴とする請求項３に記載の逆針。
【請求項５】
上記本体部が、
上記突状部から連設された、直線状の棒状又は直線状の板状を呈する棒状部と、
該棒状部から連設された先端部で、その先端が尖った形状を呈する先端部と、
を有することを特徴とする請求項１又は２又は３又は４に記載の逆針。
【請求項６】
上記突状部が棒状を呈することを特徴とする請求項１又は２又は３又は４又は５に記載の逆針。
【請求項７】
上記突状部が、ハリス止め部に設けられた開口部に掛止可能な長さに形成されていることを特徴とする請求項１又は２又は３又は４又は５又は６に記載の逆針。
【請求項８】
魚釣り用の仕掛け具であって、
請求項１又は２又は３又は４又は５又は６又は７に記載の逆針と、
該逆針に設けられた突状部を掛止可能なハリス止め部と、
該逆針の基端側と該ハリス止め部の先端側とを挿通可能な筒状部と、
を有することを特徴とする仕掛け具。
【請求項９】
魚釣り用の仕掛け具であって、
逆針であって、
先端が尖った形状を有する本体部で、該本体部の形成方向が所定の平面に沿った方向となっている本体部で、直線状の棒状又は直線状の板状を呈する棒状部と、
該棒状部から連設された先端部で、その先端が尖った形状を呈する先端部と、
該棒状部の基端部から連設された突状部で、該本体部の形成方向に対して略直角の方向に突出して設けられた突状部と、
を有する逆針と、
該逆針に設けられた突状部を掛止可能なハリス止め部と、
該逆針の基端側と該ハリス止め部の先端側とを挿通可能な筒状部と、
を有することを特徴とする仕掛け具。
【請求項１０】
上記ハリス止め部は、棒状部材を折曲又は湾曲してなる形状を呈し、上記逆針の突状部の突出方向の長さは、上記ハリス止め部を構成する棒状部材の太さと略同一の長さを有していることを特徴とする請求項８又は９に記載の仕掛け具。
【請求項１１】
上記ハリス止め部は、逆針の突状部を掛止可能な開口部を有することを特徴とする請求項８又は９又は１０に記載の仕掛け具。
【請求項１２】
上記ハリス止め部は、１本の棒状部材を折曲して構成され、一対の平行な直線状の棒状部からなる先端部と、一対の棒状部材を折曲又は湾曲して開口部が形成された開口形成部と、１本の棒状部材の折り返し部分を構成する折返し部と、を有し、上記逆針の突状部は、該開口形成部に掛止されるように構成されていることを特徴とする請求項８又は９又は１０又は１１に記載の仕掛け具。
【請求項１３】
上記筒状部が柔軟性のある部材により形成されていることを特徴とする請求項８又は９又は１０又は１１又は１２に記載の仕掛け具。
【発明の詳細な説明】
【技術分野】
【０００１】
本発明は、釣針に関するものであり、特に、鮎の友釣りに使用する逆針と逆針を有する仕掛け具に関するものである。
【背景技術】
【０００２】
従来より、鮎の友釣りに使用する仕掛けにおいては、逆針（サカ針、逆さ針としてもよい）が用いられる。この逆針は、通常ハリス止め及び中ハリスとともに締結されて、おとり鮎の尾側に掛止される。ハリス止めには、掛け針が碇状に設けられたハリスが結びつけられる。具体的には、図１３に示すように、逆針１０’とハリス止め３０’とをそれぞれの基端側を重ねるとともに、中ハリスを重ねた状態として根巻き糸で巻き付けて固定する。
【０００３】
また、逆針とハリス止めとが別体の場合には、上記のように作業しなければならず面倒であるので、その点を解消するために、逆針とハリス止めとをハンダにより予め一体化したものが存在する。つまり、逆針とハリス止めとを図１３の上側に示すように、逆針の基端側とハリス止めの先端側を平行に並べた状態で、ハンダ付けして一体化したものが存在する。
【０００４】
また、掛け針の針素を簡単に着脱することができ、新しい掛け針や種類の異なる掛け針に素早く取り替えることができるようにするために、釣針の軸部の基端部を小さく折り返し、かつ、折り返しの先端を立ち起こして針素の掛止部を形成したものが存在する。
【特許文献１】実開昭６３−１９６９７２号公報
【発明の開示】
【発明が解決しようとする課題】
【０００５】
しかし、上記図１３に示すような方法では、逆針とハリス止めと中ハリスを重ねた状態で締結しなければならず、その作業が極めて面倒であり、熟練が必要となる。
【０００６】
一方、逆針とハリス止めとをハンダで一体化したものは、中ハリスを締結するのみでよいので、面倒な作業は解消されるが、高価であるという問題があった。
【０００７】
また、上記実開昭６３−１９６９７２号公報に記載の釣針によれば、いわば逆針とハリス止めとが一体になっているので、その点では、逆針とハリス止めとを締結する必要はないが、逆針とハリス止めとが一体になっているため、逆針とハリス止めとを同一の素材にしなければならないという問題がある。つまり、逆針とハリス止めとはそれぞれその機能を発揮するために所定の素材により形成されており、逆針に用いる素材とハリス止めに用いる素材とは異なる場合が通常である。しかし、実開昭６３−１９６９７２号公報に記載の釣針の場合には、逆針とハリス止めとが一体に形成されているので、同一の素材で形成せざるを得ない。
【０００８】
また、逆針とハリス止めとをハンダで一体化したものや、実開昭６３−１９６９７２号公報に記載の釣り針においては、逆針とハリス止めとが予め一体化されていて、ハリス止めとの着脱ができないので、逆針とハリス止めを自由に組み合わせることができず、そのような組み合わせに対応しようとすると、数多くの形状のものを用意しなければならない。
【０００９】
そこで、本発明は、容易にハリス止めとの一体化を行うことができる安価な逆針と、該逆針を有する仕掛け具を提供することを目的とするものである。
【課題を解決するための手段】
【００１０】
本発明は上記問題点を解決するために創作されたものであって、第１には、魚釣り用の逆針であって、先端が尖った形状を有する本体部と、該本体部の基端部から連設された突状部で、本体部の基端部の側方に突出した突状部と、を有することを特徴とする。
【００１１】
この第１の構成の逆針においては、突状部が設けられているので、この逆針の基端側、つまり、突状部が設けられている側を筒状部に挿通し、さらに、ハリス止め部を該筒状部に反対側から挿通して、この突状部をハリス止め部に掛止させることにより、逆針とハリス止め部との一体化を極めて容易に行うことができる。また、逆針は上記のような構成を有しているので、低コストで製造することが可能である。なお、突状部の形成方向としては、本体部の形成方向に対して略直角となるようにするのが好ましい。
【００１２】
また、第２には、第１の構成において、上記本体部が、上記突状部から連設された、直線状の棒状又は直線状の板状を呈する棒状部と、該棒状部から連設された先端部で、その先端が尖った形状を呈する先端部と、を有し、上記突状部は、棒状部の軸線方向に対して略直角（「直角」としてもよい。他においても同じ。）の方向に突出して形成されていることを特徴とする。
【００１３】
また、第３には、魚釣り用の逆針であって、先端が尖った形状を有する本体部と、該本体部の基端部から連設された突状部で、該本体部の形成方向に対して略直角（「直角」としてもよい）の方向に突出して設けられた突状部と、を有することを特徴とする。
【００１４】
この第３の構成の逆針においては、突状部が設けられているので、この逆針の基端側、つまり、突状部が設けられている側を筒状部に挿通し、さらに、ハリス止め部を該筒状部に反対側から挿通して、この突状部をハリス止め部に掛止させることにより、逆針とハリス止め部との一体化を極めて容易に行うことができる。また、逆針は上記のような構成を有しているので、低コストで製造することが可能である。
【００１５】
また、第４には、上記第３の構成において、上記本体部の形成方向が、所定の平面に沿った方向となっていることを特徴とする。
【００１６】
また、第５には、上記第１から第４までのいずれかの構成において、上記本体部が、上記突状部から連設された、直線状の棒状又は直線状の板状を呈する棒状部と、該棒状部から連設された先端部で、その先端が尖った形状を呈する先端部と、を有することを特徴とする。この第５の構成の逆針によれば、該棒状部が設けられているので、逆針を筒状部内に挿着しやすくなる。
【００１７】
なお、この第５の構成において、突状部の形成方向が棒状部に対して鋭角になるようにしてもよい。
【００１８】
また、第６には、上記第１から第５までのいずれかの構成において、上記突状部が棒状を呈することを特徴とする。これにより、ハリス止め部に設けられた開口部に突状部を掛止しやすくなる。
【００１９】
また、第７には、上記第１から第６までのいずれかの構成において、上記突状部が、ハリス止め部に設けられた開口部に掛止可能な長さに形成されていることを特徴とする。
【００２０】
また、第８には、魚釣り用の仕掛け具であって、上記第１から第７までのいずれかの構成の逆針と、該逆針に設けられた突状部を掛止可能なハリス止め部と、該逆針の基端側と該ハリス止め部の先端側とを挿通可能な筒状部と、を有することを特徴とする。
【００２１】
この第８の構成の仕掛け具においては、逆針の基端側、つまり、突状部が設けられている側を筒状部に挿通し、さらに、ハリス止め部を該筒状部に反対側から挿通して、この突状部をハリス止め部に掛止させることにより組み立てる。本発明の仕掛け具においては、上記のようにして仕掛け具を組み立てることができるので、逆針とハリス止め部との一体化を極めて容易に行うことができる。また、本発明の仕掛け具においては、逆針と筒状部とハリス止め部とで構成され、筒状部は円筒状のチューブを利用でき、ハリス止め部は従来からのハリス止め部を利用できるので、低コストで製造することが可能である。
【００２２】
また、第９には、魚釣り用の仕掛け具であって、逆針であって、先端が尖った形状を有する本体部で、該本体部の形成方向が所定の平面に沿った方向となっている本体部で、直線状の棒状又は直線状の板状を呈する棒状部と、該棒状部から連設された先端部で、その先端が尖った形状を呈する先端部と、該棒状部の基端部から連設された突状部で、該本体部の形成方向に対して略直角（「直角」としてもよい）の方向に突出して設けられた突状部と、を有する逆針と、該逆針に設けられた突状部を掛止可能なハリス止め部と、該逆針の基端側と該ハリス止め部の先端側とを挿通可能な筒状部と、を有することを特徴とする。
【００２３】
この第９の構成の仕掛け具においては、逆針の基端側、つまり、突状部が設けられている側を筒状部に挿通し、さらに、ハリス止め部を該筒状部に反対側から挿通して、この突状部をハリス止め部に掛止させることにより組み立てる。本発明の仕掛け具においては、上記のようにして仕掛け具を組み立てることができるので、逆針とハリス止め部との一体化を極めて容易に行うことができる。また、本発明の仕掛け具においては、逆針と筒状部とハリス止め部とで構成され、筒状部は円筒状のチューブを利用でき、ハリス止め部は従来からのハリス止め部を利用できるので、低コストで製造することが可能である。また、逆針には上記棒状部が設けられているので、逆針を筒状部内に挿着しやすくなる。
【００２４】
また、第１０には、上記第８又は第９の構成において、上記ハリス止め部は、棒状部材を折曲又は湾曲してなる形状を呈し、上記逆針の突状部の突出方向の長さは、上記ハリス止め部を構成する棒状部材の太さと略同一の長さを有していることを特徴とする。よって、逆針の突状部を確実にハリス止め部に掛止することができるとともに、突状部がハリス止め部の側面から突出せず、この突状部が他の部材に引っかかることがない。
【００２５】
また、第１１には、上記第８から第１０までのいずれかの構成において、上記ハリス止め部は、逆針の突状部を掛止可能な開口部を有することを特徴とする。
【００２６】
また、第１２には、上記第８から第１１までのいずれかの構成において、上記ハリス止め部は、１本の棒状部材を折曲して構成され、一対の平行な直線状の棒状部からなる先端部と、一対の棒状部材を折曲又は湾曲して開口部が形成された開口形成部と、１本の棒状部材の折り返し部分を構成する折返し部と、を有し、上記逆針の突状部は、該開口形成部に掛止されるように構成されていることを特徴とする。
【００２７】
また、第１３には、上記第８から第１２までのいずれかの構成において、上記筒状部が柔軟性のある部材により形成されていることを特徴とする。よって、逆針やハリス止め部を筒状部に挿通するに際して挿通作業を容易とすることができる。
【発明の効果】
【００２８】
本発明に基づく逆針や仕掛け具によれば、突状部が設けられているので、この逆針の基端側、つまり、突状部が設けられている側を筒状部に挿通し、さらに、ハリス止め部を該筒状部に反対側から挿通して、この突状部をハリス止め部に掛止させることにより、逆針とハリス止め部との一体化を極めて容易に行うことができる。また、逆針は、基本的に、先端が尖った形状を有する本体部と、該本体部の基端部から連設され、本体部の基端部の側方に突出した突状部を有する構成であるので、低コストで製造することが可能である。
【発明を実施するための最良の形態】
【００２９】
本発明においては、ハリス止めとの組み合わせを自由に行うことができるとともに、ハリス止めとの一体化を極めて容易に行なうことができるという目的を以下の実施例のようにして実現した。
【００３０】
本実施例の仕掛け具（「ハリス止め機能付き逆針」としてもよい。他においても同じ）Ａは、図１〜図７に示すように構成され、逆針１０と、筒状部２０と、ハリス止め部３０とを有している。
【００３１】
ここで、逆針１０は、本体部１２と、突状部１８とを有している。この本体部１２は、直線状の棒状を呈する棒状部１４と、該棒状部１４の端部から連設された先端部１６とを有している。
【００３２】
ここで、該棒状部１４は、直線状の棒状を呈していて、Ｘ１−Ｘ２方向に伸びている。仕掛け具Ａに組み立てられた状態では、この棒状部１４の大部分は、筒状部２０内の空間に収容される。また、先端部１６は、棒状部１４のＸ１側の端部から連設されていて、湾曲した棒状形状を呈している。すなわち、先端部１６は、Ｘ１方向に対して１８０度ないしはそれ以上湾曲した形状を呈していて、その先端は尖った形状となっている。なお、この本体部１２は、全体に同一平面に沿って存在する形状を呈している。つまり、本体部１２は、Ｘ１−Ｘ方向及びＺ１−Ｚ２方向の平面に沿って形成されていて、図７に示すように、Ｚ１方向及びＺ２方向から視認すると、直線状の棒状に視認される。
【００３３】
さらに、突状部１８は、本体部１２の端部、すなわち、Ｘ２側の端部から連設されていて、棒状部１４に対して直角（略直角としてもよい）であるとともに、本体部１２の形成方向（つまり、Ｘ１−Ｘ方向及びＺ１−Ｚ２方向の平面の方向）に対して直角の方向に向けて突出して形成されている。つまり、突状部１８は、棒状部１４のＸ２側の端部からＹ１側に向けて形成されている。このように突状部１８が設けられていることによって、逆針１０の基端部は略Ｌ字状に形成されている。また、この突状部１８のＹ１−Ｙ２方向の長さとしては、仕掛け具Ａが組立て状態となっていて、突状部１８がハリス止め部３０の開口部３５内に臨んだ状態となっている場合に、この突状部１８がハリス止め部３０に掛止する程度の長さであり、具体的には、逆針１０をＸ１方向に引き抜こうとしても、この突状部１８がハリス止め部３０に掛止して引き抜くことができない程度で、かつ、突状部１８がハリス止め部３０の側方から突出しない程度の長さを有している。すなわち、この突状部１８のＹ１−Ｙ２方向の長さＮ１（図７参照）としては、例えば、少なくともハリス止め部３０の厚み、すなわち、ハリス止め部３０のＹ１−Ｙ２方向の幅（つまり、ハリス止め部３０を構成する棒状部材の太さ）と略同一（又は同一）とするのが好ましい。つまり、突状部１８の長さをハリス止め部３０のＹ１−Ｙ２方向の幅と略同一とすることにより、ハリス止め部３０の側面と突状部１８の先端とは面一の状態となる。なお、突状部１８がハリス止め部３０の側方から突出しないので、仕掛け具Ａを上方から視認した場合（つまり、Ｚ２方向から視認した場合）には、図３に示すように、突状部１８はハリス止め部３０の開口部３５内に隠れて視認されない。なお、突状部１８の長さＮ１がハリス止め部３０のＹ１−Ｙ２方向の幅以上としてもよい。さらに、この逆針１０のＸ２側の端部は、筒状部２０内を挿通するので、この逆針１０の後端、つまり、Ｘ２側の端部の幅、つまり、Ｙ１−Ｙ２方向の幅Ｎ２（突状部形成箇所幅）（図７参照）は、筒状部２０の内径以下であることが好ましい。なお、幅Ｎ２が筒状部２０の内径より小さいものとしてもよい。なお、この場合の筒状部２０の内径としては、筒状部２０が筒状形状の状態の場合の内径とするのが基本であるが、筒状部２０を潰して平板状とした場合の最大内径としてもよい。つまり、筒状部２０を潰して平板状とした場合の最大内径の方が、筒状形状の状態の場合の内径よりも大きくなるが、幅Ｎ２は、この最大内径以下（又は最大内径よりも小さい）であればよい。
【００３４】
また、突状部１８は、本体部１２の形成方向（つまり、Ｘ１−Ｘ方向及びＺ１−Ｚ２方向の平面の方向）に対して直角の方向に向けて突出して形成されているとしたが、ハリス止め部３０との掛止をより確実にするために、突状部１８の形成方向が本体部１２の形成方向に対して略直角であるが、棒状部１４に対して鋭角になるようにしてもよい。
【００３５】
なお、逆針１０は、全体に一体に形成されていて、この突状部１８についても棒状部材の端部を折曲することにより形成されるものである。なお、突状部１８を他の方法により形成してもよい。
【００３６】
なお、上記逆針１０において、棒状部１４は直線状の棒状を呈しているとし、その横断面は図５では円形に表現したが、横断面が円形である場合には限られず、この棒状部１４の横断面が板状となっていて、棒状部１４が直線状の板状であってもよい。なお、「直線状の板状」も「直線状の棒状」の範疇に入るということもできる。
【００３７】
次に、筒状部２０は、円筒状を呈する部材であり、塩化ビニル等の柔軟性のある素材により形成されている。この筒状部２０の内側には、円柱状の空間部が設けられているが、この筒状部２０の内径は、棒状部１４とハリス止め部３０の一対の先端部３２とを平行に重ねた状態で筒状部２０内に収納できるだけの大きさを有している（図５参照）。また、この筒状部２０のＸ１−Ｘ２方向の長さは、逆針１０の棒状部１４の長さやハリス止め部３０における先端部３２の長さと略同様となっている。
【００３８】
次に、ハリス止め部３０は、１本の金属製の針金状部材を折り返して折曲又は湾曲することにより形成されたものであり、先端部３２と、開口形成部３４と、折返し部３６とを有している。
【００３９】
ここで、先端部３２は、直線状の棒状を呈する棒状部材であり、一対の先端部３２が設けられていて、各先端部３２は略平行に配設されている。なお、一対の先端部３２同士は互いに固着されてはいない。また、開口形成部３４は、各先端部３２から連設された部材を折曲又は湾曲させることにより形成され、この開口形成部３４には開口部３５が形成されている。また、折返し部３６は、１本の針金状部材を折り返した形状となっている。なお、このハリス止め部３０は、従来からのハリス止めを利用することもできる。
【００４０】
上記構成の仕掛け具Ａの使用状態について説明する。まず、仕掛け具Ａの組立て工程について、図８等を使用して説明する。
【００４１】
まず、逆針１０を筒状部２０に挿通する。つまり、図８のＷ１に示すように、逆針１０の突状部１８側を筒状部２０内に挿通し、突状部１８が筒状部２０の反対側から露出するようにする。つまり、図８のＷ２に示す状態にする。
【００４２】
そして、図８のＷ３に示すように、ハリス止め部３０の先端部３２側を筒状部２０に挿通して、Ｗ４に示すような状態にする。その際、ハリス止め部３０を挿通する際に突状部１８が邪魔にならないように、ハリス止め部３０の上下方向に突状部１８の方向を合わせるようにする。つまり、この場合には、逆針１０は、ハリス止め部３０に対して、最終的な組立て状態に対して、Ｘ１−Ｘ２方向の軸線を介して約９０度回転した状態となっている。
【００４３】
その後、Ｗ５に示すように、逆針１０を回転させて、突状部１８がハリス止め部３０の開口部３５内に臨み、ハリス止め部３０に掛止されるようにする。つまり、突状部１８が開口形成部３４に掛止されるようにする。以上のようにして、仕掛け具Ａが組み立てられる。
【００４４】
以上のように組み立てられた仕掛け具Ａは、従来と同様に、おとり鮎に掛止させて使用する。つまり、図１０に示すように、根巻き糸１５０により中ハリス１００の一方の端部側を仕掛け具Ａ（特に、筒状部２０）に固定するとともに、ハリス止め部３０には、掛け針が碇状に設けられた針ハリス２００を取り付ける。そして、図９に示すように、逆針１０をおとり鮎の腹びれ当たりに掛止させる。なお、中ハリス１００の他方の端部側は、鼻カン３００側に締結される。なお、鼻カン３００には、道糸３５０が固着される。
【００４５】
なお、仕掛け具Ａにおいて、逆針１０やハリス止め部３０を取り替える場合には、図８に示す手順と逆の手順により仕掛け具Ａを分解状態とし、逆針１０やハリス止め部３０を交換した上で上記と同様に組み立てればよい。
【００４６】
以上のように、本実施例の仕掛け具Ａによれば、逆針１０とハリス止め部３０とを筒状部２０に挿通した後に逆針１０を回転させて突状部１８をハリス止め部３０に掛止させることにより仕掛け具Ａとして一体化できるので、逆針１０とハリス止め部３０との一体化を極めて容易に行うことができる。つまり、逆針１０を極めて容易にハリス止め部３０に取り付けることが可能となる。また、逆針１０は上記のような構成を有しているので、低コストで製造することが可能である。さらに、仕掛け具Ａは、逆針１０と筒状部２０とハリス止め部３０とで構成され、筒状部２０は円筒状のチューブを利用でき、ハリス止め部３０は従来からのハリス止め部を利用できるので、低コストで製造することが可能である。
【００４７】
また、上記構成の仕掛け具Ａにおいては、逆針１０の突状部１８がハリス止め部３０に掛止した状態となっているので、釣り時に逆針１０が引っ張られてもハリス止め部３０から容易に脱落することがない。また、逆針１０とハリス止め部３０とは別体に構成されるので、ハリス止め部３０について異なる形状のハリス止め部を種類用意しておけば、ハリス止め部との組み合わせを自由に行うことができる。さらに、逆針１０についても異なる形状のものを複数種類用意しておけば、ハリス止め部との組み合わせの数をより多くすることができる。
【００４８】
また、上記の説明では、ハリス止め部３０は、図１〜図１０に示す構成のものを使用したが、図１１、図１２に示す仕掛け具Ｂのように、フック型のハリス止め部４０を使用してもよい。このハリス止め部４０は、１本の金属製の針金状部材を折り返して折曲することにより形成されたものであり、先端部４２や開口形成部４４の形状は、上記ハリス止め部３０における先端部３２や開口形成部３４と同様であるが、折返し側が略Ｕ字状に折曲されてフック形状に形成されてフック部（折返し部）４６が形成されている。このフック型のハリス止め部４０においては、針ハリスは、このフック部４６に掛止して使用する。なお、開口形成部４４には、上記ハリス止め部３０と同様に開口部４５が設けられているので、この開口部４５は、上記ハリス止め部３０と同様に、逆針１０の突状部１８の掛止に用いられる。
【００４９】
なお、上記に示す逆針１０において、突状部１８は、本体部１２の形成方向に対して直角のＹ１方向に形成されているとしたが、Ｙ１方向とは逆のＹ２方向に形成してもよい。また、棒状部１４に対して直角（略直角としてもよい）の方向で、本体部１２の形成方向と同一の方向（つまり、Ｚ２方向又はＺ１方向）に形成してもよい。さらに、棒状部１４に対して直角（略直角としてもよい）の方向（つまり、Ｘ１−Ｘ２方向に対して直角（略直角としてもよい）の方向）であれば、いずれも方向でもよい。ただし、上記のように、本体部１２の形成方向に対して直角の方向（つまり、Ｙ１又はＹ２の方向）とした方が、逆針１０の本体部１２の形成方向とハリス止め部３０の形成方向を合わせることができるので、好ましいといえる。突状部１８の形成方向に関して、直角又は略直角とした点については、若干鋭角の角度としてもよい。
【図面の簡単な説明】
【００５０】
【図１】本発明の実施例に基づく仕掛け具の構成を示す斜視図である。
【図２】本発明の実施例に基づく仕掛け具の構成を示す正面図である。
【図３】本発明の実施例に基づく仕掛け具の構成を示す上面図である。
【図４】本発明の実施例に基づく仕掛け具の構成を示す分解斜視図である。
【図５】図１におけるＰ−Ｐ断面図である。
【図６】逆針の構成を示す正面図である。
【図７】逆針の構成を示す平面図である。
【図８】本発明の実施例に基づく仕掛け具の組立て状態を示す説明図である。
【図９】本発明の実施例に基づく仕掛け具の使用状態を示す説明図である。
【図１０】本発明の実施例に基づく仕掛け具の使用状態を示す説明図である。
【図１１】本発明の実施例に基づく仕掛け具の他の例の構成を示す斜視図である。
【図１２】本発明の実施例に基づく仕掛け具の他の例の構成を示す分解斜視図である。
【図１３】従来の逆針とその使用状態を示す説明図である。
【符号の説明】
【００５１】
Ａ、Ｂ  仕掛け具
１０  逆針
１２  本体部
１４  棒状部
１６  先端部
２０  筒状部
３０、４０  ハリス止め部
３２、４２  先端部
３４、４４  開口形成部
３６  折返し部
【図１】
2005137321.tif 000003
【図２】
2005137321.tif 000004
【図３】
2005137321.tif 000005
【図４】
2005137321.tif 000006
【図５】
2005137321.tif 000007
【図６】
2005137321.tif 000008
【図７】
2005137321.tif 000009
【図８】
2005137321.tif 000010
【図９】
2005137321.tif 000011
【図１０】
2005137321.tif 000012
【図１１】
2005137321.tif 000013
【図１２】
2005137321.tif 000014
【図１３】
2005137321.tif 000015